(57)【特許請求の範囲】
【請求項１】
システム情報を要求する方法であって、
ユーザ機器によって第１のランダム・アクセス要求を送信することであり、該第１のランダム・アクセス要求は、要求対象のシステム情報を識別するための少なくとも１つのプリアンブルを搬送する、第１のランダム・アクセス要求を送信することと、
該ユーザ機器によって事前設定の時間期間内に該第１のランダム・アクセス要求に対応する応答メッセージを監視することであり、該応答メッセージは、該プリアンブルに応答するための情報を搬送する、監視することと、
該応答メッセージが検出されたときに、該応答メッセージに含まれるプリアンブル識別子に基づいて、該プリアンブル識別子に対応する要求対象のシステム情報の送信窓内で、該プリアンブル識別子に対応する該要求対象のシステム情報を該ユーザ機器によって監視および受信することとを含み、
前記応答メッセージは、１つまたは複数のサブパケット・ヘッダのみを含むがパケット本体を含まないフォーマットを有し、該プリアンブル識別子が、前記応答メッセージのサブパケット・ヘッダによって搬送される、方法。
【請求項２】
該ユーザ機器によって前記要求対象のシステム情報を識別するために、前記応答メッセージに含まれる前記プリアンブル識別子、および、前記第１のランダム・アクセス要求内で搬送される前記少なくとも１つのプリアンブルに基づいて、要求が不首尾になる要求対象のシステム情報を判定することと、
該ユーザ機器によって第２のランダム・アクセス要求を送信することであって、該第２のランダム・アクセス要求は、要求が不首尾になる前記要求対象のシステム情報のプリアンブルを搬送する、第２のランダム・アクセス要求を送信することとをさらに含む、請求項１に記載の方法。
【請求項３】
該ユーザ機器によって各前記要求対象のシステム情報片に対する要求の数をカウントすることと、
前記要求対象のシステム情報片に対する該要求の数が事前設定の閾値よりも大きいとき、該ユーザ機器によって、無線リソース制御層に、前記要求対象のシステム情報片に対する該要求の数が最大閾値に達したことを指示することとをさらに含む、請求項２に記載の方法。
【請求項４】
応答メッセージが検出されないとき、該ユーザ機器によって、要求対象のシステム情報がいずれも首尾よく要求されないと判定することをさらに含む、請求項１に記載の方法。
【請求項５】
システム情報を送信する方法であって、
基地局が、ユーザ機器によって送信されるランダム・アクセス要求を受信することであり、該ランダム・アクセス要求は、要求対象のシステム情報のプリアンブルを搬送する、ランダム・アクセス要求を受信することと、
該基地局が、要求メッセージに基づいて、事前設定のフォーマットを有する応答メッセージを生成することであり、前記応答メッセージが有する前記事前設定のフォーマットでは、１つまたは複数のサブパケット・ヘッダのみを含み、パケット本体を含まず、前記応答メッセージのサブパケット・ヘッダによってプリアンブル識別子を搬送する、応答メッセージを生成することと、
該基地局が、該応答メッセージを送信することとを含む、方法。
【請求項６】
該基地局が、前記要求メッセージに基づいて、前記事前設定のフォーマットを有する前記応答メッセージを生成することは、
該基地局が、前記要求メッセージからの前記要求対象のシステム情報の前記プリアンブルを分析することと、
該基地局が、応答のために決定される前記要求対象のシステム情報のプリアンブルのプリアンブル識別子を、前記応答メッセージの前記サブパケット・ヘッダに追加することによって前記事前設定のフォーマットを有する前記応答メッセージを取得することとを含む、請求項５に記載の方法。
【請求項７】
該基地局によって、要求対象のシステム情報の送信窓内で、応答のために決定される前記要求対象のシステム情報を送信することをさらに含む、請求項５に記載の方法。
【請求項８】
システム情報を要求するための装置であって、
第１のランダム・アクセス要求を送信するように構成されている第１の送信モジュールであり、該第１のランダム・アクセス要求は、要求対象のシステム情報を識別するための少なくとも１つのプリアンブルを搬送する、第１の送信モジュールと、
事前設定の時間期間内に該第１のランダム・アクセス要求に対応する応答メッセージを監視するように構成されている第１の監視モジュールであり、該応答メッセージは、該プリアンブルに応答するための情報を搬送する、第１の監視モジュールと、
該応答メッセージが検出されたときに、該応答メッセージに含まれるプリアンブル識別子に基づいて、該プリアンブル識別子に対応する要求対象のシステム情報の送信窓内で、該プリアンブル識別子に対応する該要求対象のシステム情報を監視および受信するように構成されている第２の監視モジュールとを備え、
前記応答メッセージは、１つまたは複数のサブパケット・ヘッダのみを含むがパケット本体を含まないフォーマットを有し、該プリアンブル識別子が、前記応答メッセージのサブパケット・ヘッダによって搬送される、装置。
【請求項９】
前記要求対象のシステム情報を識別するために、前記応答メッセージに含まれる前記プリアンブル識別子、および、前記第１のランダム・アクセス要求内で搬送される前記少なくとも１つのプリアンブルに基づいて、要求が不首尾になる要求対象のシステム情報を判定するように構成されている、第１の判定モジュールと、
第２のランダム・アクセス要求を送信するように構成されている第２の送信モジュールであって、該第２のランダム・アクセス要求は、要求が不首尾になる前記要求対象のシステム情報のプリアンブルを搬送する、第２の送信モジュールとをさらに備える、請求項８に記載の装置。
【請求項１０】
各前記要求対象のシステム情報片に対する要求の数をカウントするように構成されている統計モジュールと、
要求対象のシステム情報片に対する該要求の数が、事前設定の閾値よりも大きいときに、前記要求対象のシステム情報片に対する該要求の数が最大閾値に達したことを無線リソース制御層に指示するように構成されている問題報告モジュールとをさらに備える、請求項８に記載の装置。
【請求項１１】
応答メッセージが検出されないとき、前記要求対象のシステム情報はいずれも首尾よく要求されないと判定するように構成されている第２の判定モジュールをさらに備える、請求項８に記載の装置。
【請求項１２】
システム情報を送信するための装置であって、
ユーザ機器によって送信されるランダム・アクセス要求を受信するように構成されている第１の受信モジュールであり、該ランダム・アクセス要求は、要求対象のシステム情報のプリアンブルを搬送する、第１の受信モジュールと、
該第１の受信モジュールによって受信される要求メッセージに基づいて、事前設定のフォーマットを有する応答メッセージを生成するように構成されているメッセージ生成モジュールであり、前記応答メッセージが有する前記事前設定のフォーマットでは、１つまたは複数のサブパケット・ヘッダのみを含み、パケット本体を含まず、前記応答メッセージのサブパケット・ヘッダによってプリアンブル識別子を搬送する、メッセージ生成モジュールと、
該メッセージ生成モジュールによって生成される該応答メッセージを送信するように構成されている、第３の送信モジュールとを備える、装置。
【請求項１３】
前記メッセージ生成モジュールは、
前記要求メッセージからの前記要求対象のシステム情報の前記プリアンブルを分析するように構成されている、第１の分析サブモジュールと、
応答のために決定される前記要求対象のシステム情報のプリアンブルのプリアンブル識別子を、前記応答メッセージの前記サブパケット・ヘッダに追加することによって前記事前設定のフォーマットを有する前記応答メッセージを取得するように構成されている第１の生成サブモジュールとを備える、請求項１２に記載の装置。
【請求項１４】
前記要求対象のシステム情報の送信窓内で、応答のために決定される前記要求対象のシステム情報を送信するように構成されている、第４の送信モジュールをさらに備える、請求項１２に記載の装置。
【請求項１５】
ユーザ機器であって、
プロセッサと、
該プロセッサによって実行可能な命令を記憶するメモリとを備え、
該プロセッサは、
第１のランダム・アクセス要求を送信することであり、該第１のランダム・アクセス要求は、要求対象のシステム情報を識別するための少なくとも１つのプリアンブルを搬送する、第１のランダム・アクセス要求を送信することと、
事前設定の時間期間内に該第１のランダム・アクセス要求に対応する応答メッセージを監視することであり、該応答メッセージは、該プリアンブルに応答するための情報を搬送する、監視することと、
該応答メッセージが検出されたときに、該応答メッセージに含まれるプリアンブル識別子に基づいて、該プリアンブル識別子に対応する要求対象のシステム情報の送信窓内で、該プリアンブル識別子に対応する該要求対象のシステム情報を監視および受信することとを行うように構成され、
前記応答メッセージは、１つまたは複数のサブパケット・ヘッダのみを含むがパケット本体を含まないフォーマットを有し、該プリアンブル識別子が、前記応答メッセージのサブパケット・ヘッダによって搬送される、ユーザ機器。
【請求項１６】
基地局であって、
プロセッサと、
該プロセッサによって実行可能な命令を記憶するメモリとを備え、
該プロセッサは、
ユーザ機器によって送信されるランダム・アクセス要求を受信することであり、該ランダム・アクセス要求は、要求対象のシステム情報のプリアンブルを搬送する、ランダム・アクセス要求を受信することと、
要求メッセージに基づいて、事前設定のフォーマットを有する応答メッセージを生成することであり、前記応答メッセージが有する前記事前設定のフォーマットでは、１つまたは複数のサブパケット・ヘッダのみを含み、パケット本体を含まず、前記応答メッセージのサブパケット・ヘッダによってプリアンブル識別子を搬送する、応答メッセージを生成することと、
該応答メッセージを送信することとを行うように構成されている、基地局。
【請求項１７】
コンピュータ命令を記憶している非一時的コンピュータ可読記憶媒体であって、該コンピュータ命令は、プロセッサによって実行されると、
第１のランダム・アクセス要求を送信するステップであり、該第１のランダム・アクセス要求は、要求対象のシステム情報を識別するための少なくとも１つのプリアンブルを搬送する、第１のランダム・アクセス要求を送信するステップと、
事前設定の時間期間内に該第１のランダム・アクセス要求に対応する応答メッセージを監視するステップであり、該応答メッセージは、該プリアンブルに応答するための情報を搬送する、監視するステップと、
該応答メッセージが検出されたときに、該応答メッセージに含まれるプリアンブル識別子に基づいて、該プリアンブル識別子に対応する要求対象のシステム情報の送信窓内で、該プリアンブル識別子に対応する該要求対象のシステム情報を監視および受信するステップとを実施し、
前記応答メッセージは、１つまたは複数のサブパケット・ヘッダのみを含むがパケット本体を含まないフォーマットを有し、該プリアンブル識別子が、前記応答メッセージのサブパケット・ヘッダによって搬送される、非一時的コンピュータ可読記憶媒体。
【請求項１８】
コンピュータ命令を記憶している非一時的コンピュータ可読記憶媒体であって、該コンピュータ命令は、プロセッサによって実行されると、
ユーザ機器によって送信されるランダム・アクセス要求を受信するステップであり、該ランダム・アクセス要求は、要求対象のシステム情報のプリアンブルを搬送する、ランダム・アクセス要求を受信するステップと、
要求メッセージに基づいて、事前設定のフォーマットを有する応答メッセージを生成するステップであり、前記応答メッセージが有する前記事前設定のフォーマットでは、１つまたは複数のサブパケット・ヘッダのみを含み、パケット本体を含まず、前記応答メッセージのサブパケット・ヘッダによってプリアンブル識別子を搬送する、応答メッセージを生成するステップと、
該応答メッセージを送信するステップとを実施する、非一時的コンピュータ可読記憶媒体。
【発明の詳細な説明】
【技術分野】
【０００１】
本開示は、通信技術の分野に関して、特に、システム情報を要求するための方法、装置、ユーザ機器および基地局に関する。
【背景技術】
【０００２】
ワイヤレス通信技術の急速な発展により、ロング・ターム・エボリューション（ＬＴＥ）のシステム情報（ＳＩ）の数が増大しており、定期的にブロードキャストする様式でＬＴＥのＳＩが送信されることによって、基地局の電力消費はより多くなり、スペクトル・リソースの利用率はより低くなり得る。アクセスされるユーザ機器（ＵＥ）の数が相対的に少ない場合、定期的にブロードキャストする様式でＬＴＥのＳＩを送信することによって、リソースが無駄になる。定期的にブロードキャストする様式でＬＴＥのＳＩを送信することによってリソースが無駄になり、基地局の電力消費が多くなる問題を軽減するために、通信事業者は、上記問題を解決するために分類によってＳＩを送信する方法を検討し始めている。
【０００３】
第５世代移動通信技術（略して５Ｇ）の研究討議において、ＳＩは、第１のタイプのＳＩおよび第２のタイプのＳＩに分類され得る。第１のタイプのＳＩは、セル選択およびセル・アクセスと関連付けられるＳＩを含み得、第２のタイプのＳＩは、第１のタイプのＳＩを除く他のＳＩを含み得る。関連技術において、第１のタイプのＳＩは、依然としてブロードキャストによって送信され得、第２のタイプのＳＩについては、ＭＳＧ１（ランダム・アクセス・プロセスにおける第１のメッセージ）を通じてＵＥによって送信される第２のタイプのＳＩを要求するための特定のプリアンブルが受信されると、ＵＥによって要求されている第２のタイプのＳＩの送信窓内で、第２のタイプのＳＩがブロードキャストされ得る。しかし、関連技術においては、ＵＥによってＭＳＧ１を送信することは、ＭＳＧ１を送信するための電力が低いことに起因して失敗する場合があり、これによってさらに、ＵＥによって送信されている要求メッセージが受信されないために、基地局が第２のタイプのＳＩをブロードキャストしないということになる。この場合、ＵＥは、ＭＳＧ１を通じて第２のタイプのＳＩを再要求するためにただ次のＳＩ期間を待つしかない場合があり、結果として、ＳＩを得るためのＵＥの待ち時間がより長くなり、したがって、性能に深刻な影響を及ぼすことになる。
【発明の概要】
【課題を解決するための手段】
【０００４】
本開示の実施形態は、ランダム・アクセス要求を通じて要求対象のシステム情報を要求する効率を改善し、それによって、ランダム・アクセス要求が失敗したとき、要求対象のシステム情報の受信が不首尾になり、または、システム情報を得るための待ち時間が相対的に長くなるという事例を回避するように、システム情報を要求するための方法および装置を提供する。
【０００５】
本開示の実施形態の第１の態様による、システム情報を要求する方法であって、
第１のランダム・アクセス要求を送信することであり、第１のランダム・アクセス要求は、要求対象のシステム情報を識別するための少なくとも１つのパイロット・コードを搬送する、第１のランダム・アクセス要求を送信することと、
事前設定の時間期間内に第１のランダム・アクセス要求に対応する応答メッセージを監視することであり、応答メッセージは、パイロット・コードに応答するための情報を搬送する、監視することと、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信することと
を含む、方法。
【０００６】
一例において、方法は、
要求対象のシステム情報を識別するために、応答メッセージに含まれるパイロット・コード識別子、および、第１のランダム・アクセス要求内で搬送される少なくとも１つのパイロット・コードに基づいて、要求が不首尾になる要求対象のシステム情報を判定することと、
第２のランダム・アクセス要求を送信することであって、第２のランダム・アクセス要求は、要求が不首尾になる要求対象のシステム情報のパイロット・コードを搬送する、第２のランダム・アクセス要求を送信することと
をさらに含む。
【０００７】
一例において、方法は、
各要求対象のシステム情報片に対する要求の数をカウントすることと、
要求対象のシステム情報片に対する要求の数が事前設定の閾値よりも大きいとき、無線リソース制御層に、要求対象のシステム情報片に対する要求の数が最大閾値に達したことを指示することと
をさらに含む。
【０００８】
一例において、方法は、
応答メッセージが検出されないとき、要求対象のシステム情報はいずれも首尾よく要求されないと判定することをさらに含む。
【０００９】
本開示の実施形態の第２の態様によれば、システム情報を要求する方法であって、
ユーザ機器によって送信されるランダム・アクセス要求を受信することであり、ランダム・アクセス要求は、要求対象のシステム情報のパイロット・コードを搬送する、ランダム・アクセス要求を受信することと、
要求メッセージに基づいて、事前設定のフォーマットを有する応答メッセージを生成することと、
応答メッセージを送信することと
を含む、方法が提供される。
【００１０】
一例において、要求メッセージに基づいて、事前設定のフォーマットを有する応答メッセージを生成することは、
要求メッセージからの要求対象のシステム情報のパイロット・コードを分析することと、
応答のために決定される要求対象のシステム情報のパイロット・コードのパイロット・コード識別子を、応答メッセージのサブパケット・ヘッダに追加することによって事前設定のフォーマットを有する応答メッセージを取得することと
を含む。
【００１１】
一例において、要求メッセージに基づいて、事前設定のフォーマットを有する応答メッセージを生成することは、
要求メッセージからの要求対象のシステム情報のパイロット・コードを分析することと、
応答メッセージのパケット・ヘッダ内で、応答のための要求対象のシステム情報のパイロット・コードの数、または、応答メッセージのパケット本体の長さを設定し、応答のための要求対象のシステム情報のパイロット・コードのパイロット・コード識別子を、応答メッセージのパケット本体に追加することによって、事前設定のフォーマットを有する応答メッセージを取得することと
を含む。
【００１２】
一例において、応答メッセージのパケット・ヘッダは、応答メッセージの構造タイプを指示するための指示情報をさらに含む。
一例において、方法は、
要求対象のシステム情報の送信窓内で、応答のための要求対象のシステム情報を送信することをさらに含む。
【００１３】
本開示の実施形態の第３の態様によれば、システム情報を要求するための装置であって、
第１のランダム・アクセス要求を送信するように構成されている第１の送信モジュールであり、第１のランダム・アクセス要求は、要求対象のシステム情報を識別するための少なくとも１つのパイロット・コードを搬送する、第１の送信モジュールと、
事前設定の時間期間内に第１のランダム・アクセス要求に対応する応答メッセージを監視するように構成されている第１の監視モジュールであり、応答メッセージは、パイロット・コードに応答するための情報を搬送する、第１の監視モジュールと、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信するように構成されている第２の監視モジュールと
を含む、装置が提供される。
【００１４】
一例において、装置は、
要求対象のシステム情報を識別するために、応答メッセージに含まれるパイロット・コード識別子、および、第１のランダム・アクセス要求内で搬送される少なくとも１つのパイロット・コードに基づいて、要求が不首尾になる要求対象のシステム情報を判定するように構成されている、第１の判定モジュールと、
第２のランダム・アクセス要求を送信するように構成されている第２の送信モジュールであって、第２のランダム・アクセス要求は、要求が不首尾になる要求対象のシステム情報のパイロット・コードを搬送する、第２の送信モジュールと
を含む。
【００１５】
一例において、装置は、
各要求対象のシステム情報片に対する要求の数をカウントするように構成されている統計モジュールと、
要求対象のシステム情報片に対する要求の数が、事前設定の閾値よりも大きいときに、要求対象のシステム情報片に対する要求の数が最大閾値に達したことを無線リソース制御層に指示するように構成されている問題報告モジュールと
をさらに含む。
【００１６】
一例において、装置は、
応答メッセージが検出されないとき、要求対象のシステム情報はいずれも首尾よく要求されないと判定するように構成されている第２の判定モジュールをさらに含む。
【００１７】
本開示の実施形態の第４の態様によれば、システム情報を要求するための装置であって、
ユーザ機器によって送信されるランダム・アクセス要求を受信するように構成されている第１の受信モジュールであり、ランダム・アクセス要求は、要求対象のシステム情報のパイロット・コードを搬送する、第１の受信モジュールと、
第１の受信モジュールによって受信される要求メッセージに基づいて、事前設定のフォーマットを有する応答メッセージを生成するように構成されている、メッセージ生成モジュールと、
メッセージ生成モジュールによって生成される応答メッセージを送信するように構成されている、第３の送信モジュールと
を備える、装置が提供される。
【００１８】
一例において、メッセージ生成モジュールは、
要求メッセージからの要求対象のシステム情報のパイロット・コードを分析するように構成されている、第１の分析サブモジュールと、
応答のために決定される要求対象のシステム情報のパイロット・コードのパイロット・コード識別子を、応答メッセージのサブパケット・ヘッダに追加することによって事前設定のフォーマットを有する応答メッセージを取得するように構成されている第１の生成サブモジュールと
を含む。
【００１９】
一例において、メッセージ生成モジュールは、
要求メッセージからの要求対象のシステム情報のパイロット・コードを分析するように構成されている、第２の分析サブモジュールと、
応答メッセージのパケット・ヘッダ内で、要求対象のシステム情報のパイロット・コードの数、または、応答メッセージのパケット本体の長さを設定し、応答のための応答のための要求対象のシステム情報のパイロット・コードのパイロット・コード識別子を、応答メッセージのパケット本体に追加することによって、事前設定のフォーマットを有する応答メッセージを取得するように構成されている、第２の生成サブモジュールと
を含む。
【００２０】
一例において、応答メッセージのパケット・ヘッダは、応答メッセージの構造タイプを指示するための指示情報をさらに含む。
【００２１】
一例において、装置は、
要求対象のシステム情報の送信窓内で、応答のための要求対象のシステム情報を送信するように構成されている、第４の送信モジュールをさらに含む。
【００２２】
本開示の実施形態の第５の態様によれば、ユーザ機器（ＵＥ）であって、
プロセッサと、
プロセッサによって実行可能な命令を記憶するメモリと
を含み、
プロセッサは、
第１のランダム・アクセス要求を送信することであり、第１のランダム・アクセス要求は、要求対象のシステム情報を識別するための少なくとも１つのパイロット・コードを搬送する、第１のランダム・アクセス要求を送信することと、
事前設定の時間期間内に第１のランダム・アクセス要求に対応する応答メッセージを監視することであり、応答メッセージは、パイロット・コードに応答するための情報を搬送する、監視することと、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信することと
を行うように構成されている、ユーザ機器（ＵＥ）が提供される。
【００２３】
本開示の実施形態の第６の態様によれば、基地局であって、
プロセッサと、
プロセッサによって実行可能な命令を記憶するメモリ
とを含み、
プロセッサは、
ユーザ機器によって送信されるランダム・アクセス要求を受信することであり、ランダム・アクセス要求は、要求対象のシステム情報のパイロット・コードを搬送する、ランダム・アクセス要求を受信することと、
要求メッセージに基づいて、事前設定のフォーマットを有する応答メッセージを生成することと、
応答メッセージを送信することと
を行うように構成されている、基地局が提供される。
【００２４】
本開示の例の第７の態様によれば、コンピュータ命令を記憶している非一時的コンピュータ可読記憶媒体であって、コンピュータ命令は、プロセッサによって実行されるときに、以下の、
第１のランダム・アクセス要求を送信することであり、第１のランダム・アクセス要求は、要求対象のシステム情報を識別するための少なくとも１つのパイロット・コードを搬送する、第１のランダム・アクセス要求を送信することと、
事前設定の時間期間内に第１のランダム・アクセス要求に対応する応答メッセージを監視することであり、応答メッセージは、パイロット・コードに応答するための情報を搬送する、監視することと、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信することと
を含む動作を実施する、非一時的コンピュータ可読記憶媒体が提供される。
【００２５】
本開示の例の第８の態様によれば、コンピュータ命令を記憶している非一時的コンピュータ可読記憶媒体であって、コンピュータ命令は、プロセッサによって実行されるときに、以下の、
ユーザ機器によって送信されるランダム・アクセス要求を受信することであり、ランダム・アクセス要求は、要求対象のシステム情報のパイロット・コードを搬送する、ランダム・アクセス要求を受信することと、
要求メッセージに基づいて、事前設定のフォーマットを有する応答メッセージを生成することと、
応答メッセージを送信することと
を含む動作を実施する、非一時的コンピュータ可読記憶媒体が提供される。
【００２６】
本開示の実施形態において提供される技術的解決策は、以下の有益な効果を含むことができる。
【００２７】
ＵＥが、上記の技術的解決策によって、要求対象のシステム情報のパイロット・コードを搬送するランダム・アクセス要求を基地局に送信するとき、要求対象のシステム情報が首尾よく要求された場合、ＵＥは、首尾よく要求された要求対象のシステム情報の送信窓内で、要求対象のシステム情報を監視するように制御することができる。加えて、要求対象のシステム情報の要求が不首尾になるとき、基地局とユーザ機器との間のシステム情報の送受信の効率を改善し、結果、ユーザ機器がシステム情報を取得するための待ち時間が長くなることを回避し、基地局がシステム情報を送信するための電力消費を低減し、スペクトル・リソースの利用率を増大させるように、要求対象のシステム情報が首尾よく要求されるまで、要求対象のシステム情報はランダム・アクセス要求を通じて繰り返し要求される。
【００２８】
上記の全般的な記述および以下の詳細な記述は例示および説明のものに過ぎず、本開示を限定しないことが諒解されるべきである。
【００２９】
本明細書に組み込まれるとともに本明細書の一部を構成する添付の図面は、本開示に一致する実施形態を示し、本明細書とともに、本開示の原理を説明する役割を果たす。
【図面の簡単な説明】
【００３０】
【図１Ａ】一実施形態による、システム情報を要求する方法を示す流れ図である。
【図１Ｂ】一実施形態による、システム情報を要求する方法を示すシナリオ図である。
【図２】一実施形態による、システム情報を要求する別の方法を示す流れ図である。
【図３】一実施形態による、システム情報を要求する方法を示す流れ図である。
【図４】一実施形態による、システム情報を送信する別の方法を示す流れ図である。
【図５】一実施形態による、システム情報を送信する別の方法を示す流れ図である。
【図６】一実施形態による、システム情報を受信するための装置を示すブロック図である。
【図７】一実施形態による、システム情報を受信するための別の装置を示すブロック図である。
【図８】一実施形態による、システム情報を送信するための装置を示すブロック図である。
【図９】一実施形態による、システム情報を送信するための別の装置を示すブロック図である。
【図１０】一実施形態による、システム情報を要求するように適合されている装置を示す概略図である。
【図１１】一実施形態による、システム情報を要求するように適合されている装置を示す概略図である。
【発明を実施するための形態】
【００３１】
ここで、図面に示されている例によって、実施形態を詳細に説明する。以下の記述が図面を伴う場合、異なる図面内の同じ番号は、別途指示しない限り、同じまたは同様の要素を指す。以下の例示的な実施形態に記載されている実施様式は、本開示と一致するすべての実施様式を表すとは限らない。むしろ、それらは、添付の特許請求の範囲に詳述されている、本開示のいくつかおよび態様と一致する装置および方法の例に過ぎない。
【００３２】
図１Ａは、一実施形態による、システム情報を受信する方法を示す流れ図であり、図１Ｂは、一実施形態による、システム情報を要求する方法を示すシナリオ図である。システム情報を受信する方法は、ＵＥに適用することができる。図１Ａに示すように、システム情報を要求する方法は、以下のステップ１１０〜１３０を含む。
【００３３】
ステップ１１０において、第１のランダム・アクセス要求が送信され、第１のランダム・アクセス要求は、要求対象のシステム情報を識別するための少なくとも１つのパイロット・コードを搬送する。
【００３４】
一実施形態において、第１のランダム・アクセス要求は、ランダム・アクセス・プロセスにおける第１のメッセージＭＳＧ１である。
【００３５】
一実施形態において、ランダム・アクセス要求の時間−周波数リソースは、基地局によってブロードキャストされる第１のタイプのシステム情報を通じて取得することができ、例えば、ランダム・アクセス要求の時間−周波数リソースは、システム情報ブロック２（ＳＩＢ２）内の物理ランダム・アクセス・チャネル（ＰＲＡＣＨ）の構成情報を通じて取得される。ランダム・アクセス要求の時間−周波数リソースは、関連技術を通じて決定されてもよい。
【００３６】
一実施形態において、要求対象のシステム情報は、システム情報ブロック１２（ＳＩＢ１２）のような、第２のタイプのシステム情報に属する。
【００３７】
一実施形態において、要求対象のシステム情報のパイロット・コードは、要求対象のシステム情報を識別するために使用され、パイロット・コードは、本明細書においては限定されない、他の形態のプリアンブルまたは直交符号であってもよい。
【００３８】
一実施形態において、１つまたは複数のパイロット・コードが、第１のランダム・アクセス要求において搬送されてもよい。
【００３９】
ステップ１２０において、事前設定の時間期間内に第１のランダム・アクセス要求に対応する応答メッセージが監視され、応答メッセージは、パイロット・コードに応答するための情報を搬送する。
【００４０】
一実施形態において、事前設定の時間期間は、基地局とユーザ機器との間で取り決められる時間長であってもよい。応答メッセージは、ＭＳＧ１が送信された後に事前設定の時間期間内に返される。ユーザ機器が事前設定の時間期間内に応答メッセージを受信した場合、それ以上の応答メッセージは受信されないと考えることができる。
【００４１】
ステップ１３０において、応答メッセージが検出されたときに、応答メッセージに含まれるパイロット・コード識別子に基づいて、パイロット・コード識別子に対応する要求対象のシステム情報の送信窓内で、要求対象のシステム情報が監視および受信される。
【００４２】
一実施形態において、首尾よく要求される要求対象のシステム情報は、応答メッセージに含まれるパイロット・コード識別子に基づいて判定することができる。例えば、第１のランダム・アクセス要求が、要求対象のシステム情報１に対応するパイロット・コード１、要求対象のシステム情報２に対応するパイロット・コード２、要求対象のシステム情報３に対応するパイロット・コード３を搬送し、第１のランダム・アクセス要求に対応する応答メッセージが、パイロット・コード１およびパイロット・コード２に対応するパイロット・コード識別子のみを含む場合、首尾よく要求される要求対象のシステム情報は、要求対象のシステム情報１および要求対象のシステム情報２であると判定することができる。
【００４３】
一実施形態において、第１のランダム・アクセス要求に対応する応答メッセージは、ランダム・アクセス応答（ＲＡＲ）メッセージである。
【００４４】
一実施形態において、ＵＥは、基地局によってブロードキャストされる第１のタイプのシステム情報内で搬送されるスケジューリング情報を通じて、各要求対象のシステム情報片の送信窓を決定することができる。
【００４５】
図１Ｂに示すような例示的なシナリオにおいて、説明のための例として、ＬＴＥネットワークであるモバイル・ネットワーク、および、ｅｖｏｌｖｅｄ  ｎｏｄｅ  Ｂ（ｅＮＢ）である基地局を挙げる。図１Ｂに示すシナリオにおいて、ｅＮＢ１０およびＵＥ２０が含まれ、ｅＮＢ１０は、第１のタイプのシステム情報を定期的にブロードキャストし、ＵＥ２０は、第１のタイプのシステム情報を受信するとき、ランダム・アクセス要求の時間領域リソース、要求対象のシステム情報の送信窓、および要求対象のシステム情報のパイロット・コードを決定することができる。ＵＥ２０は、ランダム・アクセス要求の時間領域リソース上で要求対象のシステム情報のパイロット・コードを搬送する第１のランダム・アクセス要求を送信する。第１のランダム・アクセス要求に応答する応答メッセージに基づいて、要求対象のシステム情報が首尾よく要求されると判定される場合、ＵＥ２０は、首尾よく要求される要求対象のシステム情報の送信窓内で、要求対象のシステム情報を監視することができる。第１のランダム・アクセス要求に応答する応答メッセージに基づいて、要求された要求対象のシステム情報の要求が不首尾になると判定される場合、ＵＥ２０は、要求対象のシステム情報が首尾よく要求されるか、または、時間領域リソースが使い果たされるまで、ランダム・アクセス要求の時間領域リソース上で第２のランダム・アクセス要求を送信し続けることができる。
【００４６】
この実施形態において、上記のステップ１１０〜１３０を通じて、上記の技術的解決策を通じて、ＵＥが、要求対象のシステム情報のパイロット・コードを搬送するランダム・アクセス要求を基地局に送信するとき、ＵＥは、要求対象のシステム情報の要求が不首尾になるとき、基地局とユーザ機器との間のシステム情報の送受信の効率を改善し、結果、ユーザ機器がシステム情報を取得するための待ち時間が長くなることを回避し、基地局がシステム情報を送信するための電力消費を低減し、スペクトル・リソースの利用率を増大させるように、要求対象のシステム情報が首尾よく要求されるときに、首尾よく要求される要求対象のシステム情報の送信窓内で、要求対象のシステム情報を監視するように制御することができる。
【００４７】
一実施形態において、システム情報を要求する方法は、
要求が不首尾になる要求対象のシステム情報の少なくとも一部分が空値であるという判定に応答して、要求対象のシステム情報の送信窓内で、要求対象のシステム情報を受信することをさらに含むことができる。
【００４８】
一実施形態において、システム情報を要求する方法は、
要求対象のシステム情報に対する要求の数をカウントすることと、
要求の数が事前設定の閾値よりも大きいとき、無線リソース制御層にネットワーク問題報告メッセージを送信することであって、ネットワーク問題報告メッセージは、ランダム・アクセス要求の事前設定の閾値を超える要求対象のシステム情報を指示するために使用される、ネットワーク問題報告メッセージを送信することと
をさらに含むことができる。
【００４９】
一実施形態において、事前設定の時間期間内での監視結果に基づく要求が不首尾になる要求対象のシステム情報の少なくとも一部分の判定は、
事前設定の時間期間内でランダム・アクセス要求に対応する応答メッセージが受信されないという判定に応答して、要求が不首尾になる要求対象のシステム情報の少なくとも一部分が、要求対象のシステム情報のすべてであると判定することと、
事前設定の時間期間内でランダム・アクセス要求に対応する応答メッセージが受信されるという判定に応答して、要求が不首尾になる要求対象のシステム情報の少なくとも一部分が、要求対象のシステム情報の一部分であると判定することであって、要求対象のシステム情報の当該部分は、応答メッセージ内で搬送され、パイロット・コードに応答するために使用される情報によって応答されない、判定することと
を含む。
【００５０】
特に、システム情報をどのように要求するかに関しては、以下の例を参照されたい。
【００５１】
それゆえ、本開示の実施形態によって提供される上記方法は、基地局とユーザ機器との間のシステム情報の送受信の効率を改善し、結果、ユーザ機器がシステム情報を取得するための待ち時間が長くなることを回避し、基地局がシステム情報を送信するための電力消費を低減し、スペクトル・リソースの利用率を増大させることができる。
【００５２】
本開示の例によって提供される技術的解決策を、以下の特定の例において説明する。
【００５３】
図２は、一実施形態による、システム情報を要求する別の方法を示す流れ図である。この実施形態において、本開示の例において提供される上記の方法を使用することによって、ＵＥがランダム・アクセス要求を通じて要求対象のシステム情報を要求する例が、例示的に説明される。図２を参照すると、方法は、以下のステップを含む。
【００５４】
ステップ２１０において、ランダム・アクセス要求の時間−周波数リソースが決定される。
【００５５】
ステップ２２０において、ランダム・アクセス要求の時間−周波数リソースを通じて第１のランダム・アクセス要求が送信され、第１のランダム・アクセス要求は、要求対象のシステム情報のパイロット・コードを搬送する。
【００５６】
ステップ２３０において、第１のランダム・アクセス要求に対応する応答メッセージが存在するか否かが、事前設定の時間期間内で監視される。
【００５７】
ステップ２４０において、応答メッセージが検出されたときに、応答メッセージ内で搬送されるパイロット・コード識別子に基づいて、首尾よく要求される要求対象のシステム情報および要求が不首尾になる要求対象のシステム情報が判定され、その後、ステップ２５０および２６０が実施される。
【００５８】
一実施形態において、監視結果は、応答メッセージが検出されないというものであり得、そうである場合、要求が不首尾になる要求対象のシステム情報の少なくとも一部分が、要求対象のシステム情報のすべてである。
【００５９】
一実施形態において、監視結果は、応答メッセージが検出されるというものであり、要求が不首尾になる要求対象のシステム情報の上記少なくとも一部分は、要求対象のシステム情報の一部分であり、要求対象のシステム情報の当該部分は、応答メッセージ内で搬送され、パイロット・コードに応答するために使用される情報によって応答される。応答メッセージが、要求対象のシステム情報のすべてに応答するためのパイロット・コードの情報を搬送する場合、要求が不首尾になる要求対象のシステム情報の上記少なくとも一部分の値は空値である。応答メッセージが、要求対象のシステム情報の一部分に応答するためのパイロット・コードの情報を搬送する場合、要求が不首尾になる要求対象のシステム情報の上記少なくとも一部分の値は空値ではない。
【００６０】
ステップ２５０において、要求対象のシステム情報が首尾よく要求される場合、首尾よく要求される要求対象のシステム情報の送信窓内で、要求対象のシステム情報が監視および受信され、その後、プロセスは終了する。
【００６１】
ステップ２６０において、要求対象のシステム情報の要求が不首尾になる場合、第２のランダム・アクセス要求が送信され、第２のランダム・アクセス要求は、要求が不首尾になる要求対象のシステム情報を識別するためのパイロット・コードを搬送する。
【００６２】
一実施形態において、各要求対象のシステム情報片は、複数のパイロット・コードに対応してもよく、例えば、要求対象のシステム情報１が、パイロット・コード１１、パイロット・コード１２、またはパイロット・コード１３に対応してもよい。
【００６３】
一実施形態において、第２のランダム・アクセス要求内で搬送される、要求が不首尾になる要求対象のシステム情報のパイロット・コードは、第１のランダム・アクセス要求内で搬送され、要求対象のシステム情報に対応するパイロット・コードと不一致であってもよく、または、一致してもよい。例えば、要求対象のシステム情報１の要求が不首尾になるとき、第１のランダム・アクセス要求内で搬送される、要求対象のシステム情報のパイロット・コードがパイロット・コード１１である場合、第２のランダム・アクセス要求内で搬送される要求対象のシステム情報１のパイロット・コードは、パイロット・コード１２またはパイロット・コード１１であり得る。
【００６４】
一実施形態において、ＵＥは、第２のランダム・アクセス要求に応答する応答メッセージに基づいて、第２のランダム・アクセス要求によって要求される、要求が不首尾になる要求対象のシステム情報が存在するか否かを判定することができ、このプロセスは、第１のランダム・アクセス要求に応答する応答メッセージに基づいて、第１のランダム・アクセス要求によって要求される、要求が不首尾になる要求対象のシステム情報の部分を判定するプロセスと同じである。
【００６５】
一実施形態において、ＵＥが第２のランダム・アクセス要求を送信した後に要求が不首尾になる要求対象のシステム情報が存在する場合、ＵＥは、要求対象のシステム情報のすべてが首尾よく要求されるか、または、ランダム・アクセス要求の時間領域リソースが使い果たされるまで、第２のランダム・アクセス要求を連続的に送信することができ、後に送信される第２のランダム・アクセス要求内で搬送されるパイロット・コードは、要求が不首尾になる要求対象のシステム情報のパイロット・コードである。
【００６６】
ステップ２７０において、各要求対象のシステム情報片に対する要求の数がカウントされる。
【００６７】
ステップ２８０において、要求対象のシステム情報片に対する要求の数が事前設定の閾値よりも大きいとき、無線リソース制御層に、要求対象のシステム情報片に対する要求の数が最大閾値に達したこと、および、最大閾値に達した要求対象のシステム情報片が指示される。
【００６８】
一実施形態において、要求の事前設定の閾値は、３回のような、システム・デフォルト値であってもよい。
【００６９】
この実施形態において、要求対象のシステム情報の要求結果の要求が不首尾になると判定するとき、ＵＥは、基地局とユーザ機器との間のシステム情報の送受信の効率を改善し、結果、ユーザ機器がシステム情報を取得するための待ち時間が長くなることを回避し、基地局がシステム情報を送信するための電力消費を低減し、スペクトル・リソースの利用率を増大させるように、首尾よく要求されるまで、ランダム・アクセス要求を通じて要求対象のシステム情報を繰り返し要求するように制御することができる。
【００７０】
図３は、一実施形態による、システム情報を送信する方法を示す流れ図である。システム情報を要求する方法はｅＮＢに適用することができ、この実施形態は、図１Ｂと組み合わせて説明される。図３に示すように、システム情報を要求する方法は、以下のステップ３１０〜３３０を含む。
【００７１】
ステップ３１０において、ユーザ機器によって送信される、要求対象のシステム情報のパイロット・コードを搬送するランダム・アクセス要求が受信される。
【００７２】
ステップ３２０において、要求メッセージに基づいて、事前設定のフォーマットを有する応答メッセージが生成される。
【００７３】
一実施形態において、事前設定のフォーマットは、１つまたは複数のサブパケット・ヘッダのみを含み、パケット本体は含まないフォーマットであってもよい。例えば、事前設定のフォーマットは、ＵＥのセル無線ネットワーク一時識別子（Ｃ−ＲＮＴＩ）のような情報を含まない。応答メッセージ内で搬送されるパイロット・コード識別子が、サブパケット・ヘッダによって搬送される。この事前設定のフォーマットにおける応答メッセージを生成する方法は、図４に示す例を参照する。
【００７４】
一実施形態において、事前設定のフォーマットは、パケット・ヘッダおよびパケット本体を有するフォーマットであってもよく、パケット・ヘッダは、パケット本体内のパイロット・コードの数を示すか、または、パケット本体の長さを示す指示情報を含む。一実施形態において、パケット・ヘッダは、応答メッセージの構造を指示するためのタイプ指示情報をさらに含むことができる。パケット本体は、１つまたは複数のパイロット・コード識別子を含むことができる。この事前設定のフォーマットにおける応答メッセージを生成する方法は、図５に示す例を参照する。
【００７５】
ステップ３３０において、応答メッセージが送信される。
【００７６】
図１Ｂに示すような例示的なシナリオにおいて、説明のための例として、ＬＴＥネットワークであるモバイル・ネットワーク、および、ｅｖｏｌｖｅｄ  ｎｏｄｅ  Ｂ（ｅＮＢ）である基地局を挙げる。図１Ｂに示すシナリオにおいて、ｅＮＢ１０およびＵＥ２０が含まれ、ｅＮＢ１０は、第１のタイプのシステム情報を定期的にブロードキャストし、ＵＥ２０は、第１のタイプのシステム情報を受信するとき、ランダム・アクセス要求の時間領域リソース、要求対象のシステム情報の送信窓、および要求対象のシステム情報のパイロット・コードを決定することができる。ＵＥ２０は、ランダム・アクセス要求の時間領域リソース上で要求対象のシステム情報のパイロット・コードを搬送する第１のランダム・アクセス要求を送信する。第１のランダム・アクセス要求と関連付けられる応答メッセージに基づいて、要求対象のシステム情報が首尾よく要求されると判定される場合、ＵＥ２０は、首尾よく要求される要求対象のシステム情報の送信窓内で、要求対象のシステム情報を監視することができる。第１のランダム・アクセス要求と関連付けられる応答メッセージに基づいて、要求された要求対象のシステム情報の要求が不首尾になると判定される場合、ＵＥ２０は、要求対象のシステム情報が首尾よく要求されるか、または、時間領域リソースが使い果たされるまで、ランダム・アクセス要求の時間領域リソース上で第２のランダム・アクセス要求を送信し続けることができる。
【００７７】
この実施形態において、上記のステップ３１０〜３３０を通じて、ランダム・アクセス要求の時間−周波数リソースを通じてＵＥによって送信される要求メッセージを受信すると、基地局は、基地局とＵＥとの間のシステム情報の送受信効率を改善するように、ＵＥが要求対象のシステム情報の送信窓内で要求対象のシステム情報を送信するか否かを示すために、事前設定のフォーマットを有する応答メッセージを生成することができる。
【００７８】
一実施形態において、要求メッセージに基づいて、事前設定のフォーマットを有する応答メッセージを生成することは、
要求メッセージからの要求対象のシステム情報のパイロット・コードを分析することと、
応答のために決定される要求対象のシステム情報のパイロット・コードのパイロット・コード識別子を、応答メッセージのサブパケット・ヘッダに追加することによって事前設定のフォーマットを有する応答メッセージを取得することと
を含む。
【００７９】
一実施形態において、要求メッセージに基づいて、事前設定のフォーマットを有する応答メッセージを生成することは、
要求メッセージからの要求対象のシステム情報のパイロット・コードを分析することと、
応答メッセージのパケット・ヘッダ内で、要求対象のシステム情報のパイロット・コードの数、または、応答メッセージのパケット本体の長さを設定し、応答のための要求対象のシステム情報のパイロット・コードのパイロット・コード識別子を、応答メッセージのパケット本体に追加することによって、事前設定のフォーマットを有する応答メッセージを取得することと
を含む。
【００８０】
一実施形態において、応答メッセージのパケット・ヘッダは、応答メッセージの構造タイプを指示するための指示情報をさらに含む。
【００８１】
一実施形態において、システム情報を要求する方法は、
【００８２】
要求対象のシステム情報の送信窓内で、応答のための要求対象のシステム情報を送信することをさらに含むことができる。
【００８３】
特に、システム情報をどのように送信するかに関しては、以下の例を参照されたい。
【００８４】
本開示の例によって提供される技術的解決策を、以下の特定の例において説明する。
【００８５】
図４は、一実施形態による、システム情報を送信する別の方法を示す流れ図である。この例は、事前設定のフォーマットを有する応答メッセージをどのように生成するかを示すために、本開示の例によって提供される上記の方法を使用する。図４に示すように、方法は、以下のステップを含む。
【００８６】
ステップ４１０において、ランダム・アクセス要求の時間−周波数リソース上でユーザ機器によって送信される、要求対象のシステム情報のパイロット・コードを搬送する要求メッセージが受信される。
【００８７】
ステップ４２０において、要求メッセージからの要求対象のシステム情報のパイロット・コードが分析される。
【００８８】
ステップ４３０において、応答のために決定される要求対象のシステム情報のパイロット・コードのパイロット・コード識別子を、応答メッセージのサブパケット・ヘッダに追加することによって事前設定のフォーマットを有する応答メッセージが取得される。
【００８９】
一実施形態において、基地局は、その時点における応答のための要求対象のシステム情報を決定し、応答のための要求対象のシステム情報のパイロット・コードのパイロット・コード識別子を決定することができる。一実施形態において、パイロット・コード識別子は、各サブパケット・ヘッダに追加することができ、別の実施形態において、複数のパイロット・コード識別子を、１つのサブパケット・ヘッダに追加することができる。
【００９０】
一実施形態において、事前設定のフォーマットはパケット本体を含まないため、要求対象のシステム情報のパイロット・コードに基づいて応答メッセージのサブパケット・ヘッダを決定した後、事前設定のフォーマットを有する応答メッセージを取得することができる。
【００９１】
ステップ４４０において、応答メッセージが送信され、要求対象のシステム情報の送信窓内で、要求対象のシステム情報が送信される。
【００９２】
一実施形態において、基地局は、要求対象のシステム情報の送信窓内で２回以上、応答のための要求対象のシステム情報を送信することができる。
【００９３】
その実施形態において、基地局は、基地局とユーザ機器との間のシステム情報の送受信効率を改善するように、要求対象のシステム情報の要求を実施するために、事前設定のフォーマットに従って応答メッセージを生成することができる。
【００９４】
図５は、一実施形態による、システム情報を送信する別の方法を示す流れ図である。この例は、事前設定のフォーマットを有する応答メッセージをどのように生成するかを示すために、本開示の例によって提供される上記の方法を使用する。図５に示すように、方法は、以下のステップを含む。
【００９５】
ステップ５１０において、ランダム・アクセス要求の時間−周波数リソース上でユーザ機器によって送信される、要求対象のシステム情報のパイロット・コードを搬送する要求メッセージが受信される。
【００９６】
ステップ５２０において、要求メッセージから、要求対象のシステム情報のパイロット・コードが分析される。
【００９７】
ステップ５３０において、応答メッセージのパケット・ヘッダ内で、要求対象のシステム情報のパイロット・コードの数、または、応答メッセージのパケット本体の長さを設定し、応答のための要求対象のシステム情報のパイロット・コードのパイロット・コード識別子を、応答メッセージのパケット本体に追加することによって、事前設定のフォーマットを有する応答メッセージが取得される。
【００９８】
一実施形態において、基地局は、その時点における応答のための要求対象のシステム情報を決定し、応答のための要求対象のシステム情報のパイロット・コードの数、または、応答メッセージのパケット本体の長さを決定することができる。
【００９９】
一実施形態において、応答メッセージのパケット・ヘッダは、応答メッセージの構造タイプを指示するための指示情報をさらに含む。
【０１００】
ステップ５４０において、応答メッセージが送信され、要求対象のシステム情報の送信窓内で、要求対象のシステム情報が送信される。
【０１０１】
その実施形態において、基地局は、基地局とユーザ機器との間のシステム情報の送受信効率を改善するように、要求対象のシステム情報の要求を実施するために、事前設定のフォーマットに従って応答メッセージを生成することができる。
【０１０２】
図６は、一実施形態による、システム情報を要求するための装置を示すブロック図である。図６に示すように、システム情報を要求するための装置は、
第１のランダム・アクセス要求を送信するように構成されている第１の送信モジュール６１０であり、第１のランダム・アクセス要求は、要求対象のシステム情報を識別するための少なくとも１つのパイロット・コードを搬送する、第１の送信モジュール６１０と、
事前設定の時間期間内に第１のランダム・アクセス要求に対応する応答メッセージを監視するように構成されている第１の監視モジュール６２０であり、応答メッセージは、少なくとも１つのパイロット・コードに応答するための情報を搬送する、第１の監視モジュール６２０と、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信するように構成されている第２の監視モジュール６３０と
を含む。
【０１０３】
図７は、一実施形態による、システム情報を要求するための別の装置を示すブロック図である。図７に示すように、図６に示す実施形態を元にして、装置は、
要求対象のシステム情報を識別するために、応答メッセージに含まれるパイロット・コード識別子、および、第１のランダム・アクセス要求内で搬送される少なくとも１つのパイロット・コードに基づいて、要求が不首尾になる要求対象のシステム情報を判定するように構成されている、第１の判定モジュール６４０と、
第２のランダム・アクセス要求を送信するように構成されている第２の送信モジュール６５０であって、第２のランダム・アクセス要求は、要求が不首尾になる要求対象のシステム情報のパイロット・コードを搬送する、第２の送信モジュール６５０と
をさらに含む。
【０１０４】
一実施形態において、装置は、
各要求対象のシステム情報片に対する要求の数をカウントするように構成されている統計モジュール６６０と、
要求対象のシステム情報片に対する要求の数が、事前設定の閾値よりも大きいときに、要求対象のシステム情報片に対する要求の数が最大閾値に達したことを無線リソース制御層（ＲＲＣ）に指示するように構成されている問題報告モジュール６７０と
をさらに含む。
【０１０５】
一実施形態において、装置は、
応答メッセージが検出されないとき、要求対象のシステム情報はいずれも首尾よく要求されないと判定するように構成されている第２の判定モジュール６８０をさらに含む。
【０１０６】
図８は、一実施形態による、システム情報を送信するための装置を示すブロック図である。装置は基地局に適用される。図８に示すように、システム情報を送信するための装置は、
ユーザ機器によって送信される、要求対象のシステム情報のパイロット・コードを搬送するランダム・アクセス要求を受信するように構成されている第１の受信モジュール８１０と、
第１の受信モジュール８１０によって受信される要求メッセージに基づいて、事前設定のフォーマットを有する応答メッセージを生成するように構成されている、メッセージ生成モジュール８２０と、
メッセージ生成モジュール８２０によって生成される応答メッセージを送信するように構成されている、第３の送信モジュール８３０と
を含む。
【０１０７】
図９は、一実施形態による、システム情報を送信するための別の装置を示すブロック図である。図９に示すように、図８に示す実施形態を元にして、一例において、メッセージ生成モジュール８２０は、
要求メッセージからの要求対象のシステム情報のパイロット・コードを分析するように構成されている、第１の分析サブモジュール８２１と、
応答のために決定される要求対象のシステム情報のパイロット・コードのパイロット・コード識別子を、応答メッセージのサブパケット・ヘッダに追加することによって事前設定のフォーマットを有する応答メッセージを取得するように構成されている第１の生成サブモジュール８２２と
を含む。
【０１０８】
一実施形態において、メッセージ生成モジュール８２０は、
要求メッセージからの要求対象のシステム情報のパイロット・コードを分析するように構成されている、第２の分析サブモジュール８２３と、
応答メッセージのパケット・ヘッダ内で、要求対象のシステム情報のパイロット・コードの数、または、応答メッセージのパケット本体の長さを設定し、応答のための要求対象のシステム情報のパイロット・コードのパイロット・コード識別子を、応答メッセージのパケット本体に追加することによって、事前設定のフォーマットを有する応答メッセージを取得するように構成されている、第２の生成サブモジュール８２４と
を含む。
【０１０９】
一実施形態において、応答メッセージのパケット・ヘッダは、応答メッセージの構造タイプを指示するための指示情報をさらに含む。
【０１１０】
一実施形態において、装置は、
要求対象のシステム情報の送信窓内で、応答のための要求対象のシステム情報を送信するように構成されている、第４の送信モジュール８４０をさらに含む。
【０１１１】
上記の実施形態において説明されている装置に関して、それぞれのモジュールが動作を実施する特定の様式は、方法の実施形態において詳細に記載されているため、ここでは繰り返さない。
【０１１２】
図１０は、一実施形態による、システム情報を要求するための装置を示す概略図である。例えば、装置１０００は、携帯電話、コンピュータ、デジタル・ブロードキャスト端末、メッセージ送受信デバイス、ゲーム・コンソール、タブレット・デバイス、医療デバイス、フィットネス・デバイス、個人情報端末などであってもよい。
【０１１３】
図１０を参照すると、装置１０００は、以下の構成要素、すなわち、処理構成要素１００２、メモリ１００４、電源構成要素１００６、マルチメディア構成要素１００８、オーディオ構成要素１０１０、入出力（Ｉ／Ｏ）インターフェース１０１２、センサ構成要素１０１４および通信構成要素１０１３のうちの１つまたは複数を含むことができる。
【０１１４】
処理構成要素１００２は、一般的に、ディスプレイと関連付けられる動作、通話呼、データ通信、カメラ動作、および記録動作のような、装置１０００の全体的な動作を制御する。処理構成要素１００２は、上記の方法のステップの全部または一部を遂行するための命令を実行するための１つまたは複数のプロセッサ１０２０を含むことができる。加えて、処理構成要素１００２は、処理構成要素１００２と他の構成要素との間の相互作用を促進する１つまたは複数のモジュールを含むことができる。例えば、処理構成要素１００２は、マルチメディア構成要素１００８と処理構成要素１００２との間の相互作用を促進するためのマルチメディア・モジュールを含むことができる。
【０１１５】
メモリ１００４は、装置１０００の動作をサポートするための様々なタイプのデータを記憶するためのものである。そのようなデータの例は、装置１０００上で動作させられる任意のアプリケーションまたは方法のための命令、連絡先データ、電話帳データ、メッセージ、画像、ビデオなどを含む。メモリ１００４は、スタティックランダム・アクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュ・メモリ、磁気または光学ディスクのような、任意のタイプの揮発性または不揮発性記憶デバイスまたはそれらの組み合わせによって実装されてもよい。
【０１１６】
電源構成要素１００６は、装置１０００の種々の構成要素に電力を供給する。電源構成要素１００６は、電力管理システム、１つまたは複数の電源、ならびに、装置１０００の電力の生成、管理、および分配と関連付けられる他の構成要素を含むことができる。
【０１１７】
マルチメディア構成要素１００８は、装置１０００とユーザとの間の出力インターフェースを提供する画面を含む。いくつかの実施形態において、画面は、液晶ディスプレイ（ＬＣＤ）およびタッチパネル（ＴＰ）を含んでもよい。画面がＴＰを含む場合、画面は、ユーザから入力信号を受信するためのタッチ・スクリーンとして実装することができる。ＴＰは、ＴＰ上でのタッチ、スワイプ、およびジェスチャを検知するための１つまたは複数のタッチ・センサを含むことができる。タッチ・センサは、タッチまたはスワイプの境界を検知することができるだけでなく、タッチまたはスワイプと関連付けられる継続時間および圧力をも検知することができる。いくつかの実施形態において、マルチメディア構成要素１００８は、フロント・カメラおよび／またはリア・カメラを含んでもよい。フロント・カメラおよび／またはリア・カメラは、装置１０００が、写真撮影モードまたはビデオ・モードのような動作モードにあるときに、外部マルチメディア・データを受信することができる。フロント・カメラおよびリア・カメラの各々は、固定光学レンズ系であってもよく、または、焦点距離および光学ズーム機能を有してもよい。
【０１１８】
オーディオ構成要素１０１０は、オーディオ信号を出力および／または入力するためのものである。例えば、オーディオ構成要素１０１０は、マイクロフォン（ＭＩＣ）を含む。装置１０００が、呼モード、記録モード、および音声認識モードのような動作モードにあるとき、ＭＩＣは、外部オーディオ信号を受信するためのものである。受信オーディオ信号はさらに、メモリ１００４に記憶されてもよく、または、通信構成要素１０１３を介して送信されてもよい。いくつかの実施形態において、オーディオ構成要素１０１０は、オーディオ信号を出力するためのスピーカをさらに含む。
【０１１９】
Ｉ／Ｏインターフェース１０１２は、処理構成要素１００２と周辺インターフェース・モジュールとの間のインターフェースを提供することができる。上記の周辺インターフェース・モジュールは、キーボード、クリックホイール、ボタンなどを含んでもよい。これらのボタンは、限定ではないが、ホーム・ボタン、音量ボタン、開始ボタンおよびロックボタンを含んでもよい。
【０１２０】
センサ構成要素１０１４は、装置１０００の様々な態様の状態評価を提供するための１つまたは複数のセンサを含む。例えば、センサ構成要素１０１４は、装置１０００のオン／オフ状態、および、構成要素の相対位置を検出することができ、例えば、この構成要素は、装置１０００のディスプレイおよびキーパッドである。センサ構成要素１０１４はまた、装置１０００または装置１０００の構成要素の位置の変化、ユーザと装置１０００との間の接触の有無、装置１０００の向きまたは加速／減速、および、装置１０００の温度の変化を検出することもできる。センサ構成要素１０１４は、物理的には一切接触していない近傍の物体の存在を検出するための近接センサを含むことができる。センサ構成要素１０１４は、撮像用途に使用される相補型金属酸化膜半導体（ＣＭＯＳ）または電荷結合素子（ＣＣＤ）画像センサのような、光学センサをさらに含むことができる。いくつかの実施形態において、センサ構成要素１０１４は、加速度センサ、ジャイロスコープ・センサ、磁気センサ、圧力センサ、または温度センサをさらに含むことができる。
【０１２１】
通信構成要素１０１３は、装置１０００と他のデバイスとの間の有線またはワイヤレス通信を促進するためのものである。装置１０００は、Ｗｉ−Ｆｉ、２Ｇもしくは３Ｇ、またはそれらの組み合わせのような通信規格に基づくワイヤレス・ネットワークにアクセスすることができる。一実施形態において、通信構成要素１０１３は、外部ブロードキャスト管理システムからブロードキャスト・チャネルを介して、ブロードキャスト信号またはブロードキャスト関連情報を受信する。一実施形態において、通信構成要素１０１３は、短距離通信を促進するための近距離無線通信（ＮＦＣ）モジュールをさらに含む。例えば、ＮＦＣモジュールは、無線周波数識別（ＲＦＩＤ）技術、赤外線通信協会（ＩｒＤＡ）技術、超広帯域（ＵＷＢ）技術、Ｂｌｕｅｔｏｏｔｈ（登録商標）（ＢＴ）技術および他の技術に基づいて実装されてもよい。
【０１２２】
一実施形態において、装置１０００は、１つまたは複数の特定用途向け集積回路（ＡＳＩＣ）、デジタル信号プロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、コントローラ、マイクロコントローラ、マイクロプロセッサ、または、上記方法を実施するための他の電子構成要素によって実装されてもよい。
【０１２３】
一実施形態において、命令を含むメモリ１００４のような、命令を含む非一時的コンピュータ可読記憶媒体も提供される。命令は、装置１０００のプロセッサ１０２０によって、
第１のランダム・アクセス要求を送信するステップであり、第１のランダム・アクセス要求は、要求対象のシステム情報を識別するための少なくとも１つのパイロット・コードを搬送する、第１のランダム・アクセス要求を送信するステップと、
事前設定の時間期間内に第１のランダム・アクセス要求に対応する応答メッセージを監視するステップであり、応答メッセージは、パイロット・コードに応答するための情報を搬送する、監視するステップと、
応答メッセージが検出されたときに、応答メッセージに含まれるパイロット・コード識別子に基づいて、パイロット・コード識別子に対応する要求対象のシステム情報の送信窓内で、要求対象のシステム情報を監視および受信するステップと
を含む、上述した方法を実施するために実行することができる。
【０１２４】
図１１は、一実施形態による、システム情報を送信するように適合されている装置を示す概略図である。装置１１００は基地局として提供することができる。図１１を参照すると、装置１１００は、処理構成要素１１２２と、ワイヤレス送受信構成要素１１２４と、アンテナ構成要素１１２６と、ワイヤレス・インターフェースに特有の信号処理構成要素とを含む。処理構成要素１１２２は、１つまたは複数のプロセッサをさらに含むことができる。
【０１２５】
処理構成要素１１２２内のプロセッサのうちの１つは、
ユーザ機器によって送信される、要求対象のシステム情報のパイロット・コードを搬送するランダム・アクセス要求を受信することと、
要求メッセージに基づいて、事前設定のフォーマットを有する応答メッセージを生成することと、
応答メッセージを送信することと
を行うように構成することができる。
【０１２６】
一実施形態において、命令を含む非一時的コンピュータ可読記憶媒体も、基地局において提供される。非一時的コンピュータ可読記憶媒体は、命令がプロセッサによって実行されると、
ユーザ機器によって送信される、要求対象のシステム情報のパイロット・コードを搬送するランダム・アクセス要求を受信するステップと、
ランダム・アクセス要求に基づいて、事前設定のフォーマットを有する応答メッセージを生成するステップと、
応答メッセージを送信するステップと
を含むステップを実施する命令を記憶している。
【０１２７】
本明細書を考察し、本明細書における本開示を実践することから、本開示の他の実施態様が当業者には諒解されよう。本開示は、その一般的な原理に従い、本開示には開示されていない関連技術の共通の知識または従来の技術的手段を含む、本開示の任意の変形形態、使用、修正または適合をカバーするように意図されている。本明細書および実施例は例示的にのみ考慮され、本開示の真の範囲および精神は、添付の特許請求の範囲によって示される。
【０１２８】
本開示は、上述し、添付の図面に示した正確な構造に限定されないこと、ならびに、その範囲から逸脱することなく様々な修正および変更を行うことができることは理解されたい。本開示の範囲は、添付の特許請求の範囲のみによって限定される。
【図１Ａ】
0006961795.tif 000002
【図１Ｂ】
0006961795.tif 000003
【図２】
0006961795.tif 000004
【図３】
0006961795.tif 000005
【図４】
0006961795.tif 000006
【図５】
0006961795.tif 000007
【図６】
0006961795.tif 000008
【図７】
0006961795.tif 000009
【図８】
0006961795.tif 000010
【図９】
0006961795.tif 000011
【図１０】
0006961795.tif 000012
【図１１】
0006961795.tif 000013